(57)【要約】【課題】  配線容量値が高い微細化された信号伝送路であっても消費電力の低減を可能とする。【解決手段】  バス形式の信号伝送回路は、複数本の信号線Ｌ０，Ｌ１・・Ｌｎを有し、各信号線の信号伝播路の途中にデータフリップフロップ回路Ｄ１，Ｄ２・・Ｄｎが挿入される。各データフリップフロップ回路のＤ１，Ｄ２・・Ｄｎの転送すべき信号と既に転送されて来た信号の信号レベルを比較して転送時の信号のレベル変化を抑えるよう前記データフリップフロップ回路Ｄ１，Ｄ２・・Ｄｎの入力信号に対し、伝送サイクルに対応し動的な論理反転制御を行う制御信号発生回路Ｔを有する。【選択図】      図１
2005094234.tif 000002
【特許請求の範囲】
【請求項１】
複数本の信号線を有し、各信号線のデータ伝送路の途中にデータフリップフロップ回路が挿入されたバス形式の信号伝送装置であって、
前記データフリップフロップ回路の入力信号に対し、信号の伝送サイクルに同期して動的な論理反転制御を行う反転制御手段を含むことを特徴とする
バス信号伝送装置。
【請求項２】
請求項１記載のバス信号伝送装置において、
前記反転制御手段として、
前記データフリップフロップ回路の入力ノードにおける伝送されて来た信号の信号レベルを正転もしくは反転させる選択をして前記データフリップフロップ回路へ該信号を入力する信号レベル選択手段と、
前記データフリップフロップ回路の出力ノードにおける現在のｎビット幅のデータと、入力ノードにおける現在のｎビット幅のデータとを受け各信号線毎に出力ノードと入力ノードの対応するデータをビット毎に比較し、前記データフリップフロップ回路から出力される転送時の信号線上の信号の信号レベルの変化が少なくなるように前記データフリップフロップ回路へ入力される信号の信号レベルを正転もしくは反転レベルの極性に切換える制御信号を前記信号レベル選択手段に供給する制御信号発生回路と、を備えることを特徴とする
バス信号伝送装置。
【請求項３】
複数本の信号線よりなるプリチャージ方式のバス信号伝送装置であって、
各信号線毎に挿入されるｐチャネルトランジスタと、
前記ｐチャネルトランジスタの入力ノードに接続され、入力される信号の信号レベルを正転もしくは反転させる選択をしてｐチャネルトランジスタに入力する信号レベル選択回路と、
前記ｐチャネルトランジスタの導通制御をするクロック信号発生手段と、
前記信号レベル選択回路に接続され、前記各信号線の前記ｐチャネルトランジスタの入力ノードにおける信号レベルを選択することにより前記ｐチャネルトランジスタを経た出力ノードにおけるプリチャージされたバスの充放電量を削減できるよう前記信号レベル選択回路に制御信号を供給する制御信号発生回路と、よりなることを特徴とする
バス信号伝送装置。
【請求項４】
複数本の信号線のデータ伝送路の途中に夫々に設けられるデータフリップフロップ回路を有するバス形式の信号伝送回路におけるバス信号伝送方法であって、
信号の伝送サイクルに同期して前記データフリップフロップ回路に取り込む各信号線からのデータに対し制御信号により動的な論理反転制御を行なわせることを特徴とする
バス信号伝送方法。
【請求項５】
請求項４記載のバス信号伝送方法において、
前記論理反転制御として、
前記データフリップフロップ回路の出力ノードにおける現在のｎビット幅のデータと、入力ノードにおける現在のｎビット幅のデータとを受け各信号線毎に入力ノードと出力ノードの対応するデータをビット毎に比較するステップと、
前記比較ステップによる比較の結果、前記データフリップフロップ回路から出力される転送時の信号線上の信号の信号レベルの変化が少なくなるように前記データフリップフロップ回路へ入力される信号の信号レベルを正転もしくは反転レベルの極性に切換える制御信号を発生するステップと、
前記発生された制御信号を受け、前記制御信号に対応して伝送されてきた信号の信号レベルを正転もしくは反転レベルの極性に切換えて前記データフリップフロップ回路へ該信号を入力する信号レベル選択ステップとを備えることを特徴とする
バス信号伝送方法。
【請求項６】
複数本の信号線のデータ伝送路の途中に夫々に設けられるｐチャネルトランジスタを有するプリチャージ方式のバス信号伝送回路におけるバス信号伝送方法において、
前記複数の信号線の各ｐチャネルトランジスタの入力ノードに転送されてきた各信号の信号レベルの総数が、１レベルが多い状態か、あるいは０レベルが多い状態かを検出するステップと、
前記信号レベル状態を検出した後、検出結果に応じて１レベルが多い場合は前記ｐチャネルトランジスタへ入力される信号の信号レベルを正転レベルの極性に、０レベルが多い場合は信号レベルを反転レベルの極性に切換える制御信号を発生するステップと、
前記発生された制御信号を受け、前記制御信号に対応して入力される信号の信号レベルを正転もしくは反転レベルの極性に切換えて前記ｐチャネルトランジスタへ入力する信号レベル選択ステップとより成ることを特徴とする
バス信号伝送方法。
【発明の詳細な説明】
【技術分野】
【０００１】
本発明は、バス形式の信号伝送装置及びその信号伝送方法に関する。
【背景技術】
【０００２】
従来、配線を伝播する信号の遅延時間の低減や高速動作を可能とするための技術は半導体装置の分野でしばしば見られる。例えば、半導体装置の微細加工技術の進歩による機能の増大に伴うチップサイズの大型化により配線長が長くなる傾向にあり、このため、半導体装置の動作速度は配線に伝播される信号の遅延に依存する場合が多い。
【０００３】
この伝播される信号の遅延を解消するため半導体装置の回路構成において、例えば隣接する配線の一方の配線途中にインバータ回路を含む増幅器を付加し、この増幅器の入力側及び出力側の配線間容量の影響を相殺しようとするものがある。これにより、配線に伝播される信号の遅延時間の最大値を低減でき、且つ遅延時間の揺らぎを低減し、高速動作を可能とする半導体装置がある（例えば、特許文献１参照）。
【０００４】
【特許文献１】特開２００３−１２４３１９号公報（明細書の段落〔００２７〕〔００２８〕第１図）
【発明の開示】
【発明が解決しようとする課題】
【０００５】
しかしながら、上述した特許文献１に示すような半導体装置の回路構成の配線にインバータ回路を含む増幅器などの素子を付加することは、消費電力の増加を不可避とする問題点を抱えていた。
【０００６】
本発明は、上記事情に鑑みなされたものであり、複数本のバス形式の信号伝送回路であって、信号の伝送サイクルに同期して各信号の論理反転制御を動的に行うことで配線容量値が高い微細化された伝送路であっても消費電力の低減を可能とすると共に信号遅延を防ぎ、高速動作を可能とするバス信号伝送装置及びその信号伝送方法を提供することを目的とする。
【課題を解決するための手段】
【０００７】
上記課題を解決し、本発明の目的を達成するため、本発明のバス信号伝送装置は、複数本の信号線を有し、各信号線のデータ伝送路の途中にデータフリップフロップ回路が挿入されたバス形式の信号伝送回路であって、前記データフリップフロップ回路の入力信号に対し、信号の伝送サイクルに同期して動的な論理反転制御を行う手段を含むことを特徴とする。
【０００８】
また、本発明のバス信号伝送装置は、複数本の信号線のデータ伝送路の途中に夫々に設けられるデータフリップフロップ回路と、
前記データフリップフロップ回路の入力ノードにおける伝送されて来た信号の信号レベルを正転もしくは反転させる選択をして前記データフリップフロップ回路へ該信号を入力する信号レベル選択手段と、
前記データフリップフロップ回路の出力ノードにおける現在のｎビット幅のデータと、入力ノードにおける現在のｎビット幅のデータとを受け各信号線毎に出力ノードと入力ノードの対応するデータをビット毎に比較し、前記データフリップフロップ回路から出力される転送時の信号線上の信号の信号レベルの変化が少なくなるように前記データフリップフロップ回路へ入力される信号の信号レベルを正転もしくは反転レベルの極性に切換える制御信号を前記信号レベル選択手段に供給する制御信号発生回路と、よりなることを特徴とする。
【０００９】
また、本発明のバス信号伝送装置は、複数本の信号線よりなるプリチャージ方式のバス信号伝送回路であって、各信号線毎に挿入されるｐチャネルトランジスタと、
前記ｐチャネルトランジスタの入力ノードに接続され、入力される信号の信号レベルを正転もしくは反転させる選択をしてｐチャネルトランジスタに入力する信号レベル選択回路と、
前記ｐチャネルトランジスタの導通制御をするクロック信号発生手段と、
前記信号レベル選択回路に接続され、前記各信号線の前記ｐチャネルトランジスタの入力ノードにおける信号レベルを選択することにより前記ｐチャネルトランジスタを経た出力ノードにおけるプリチャージされたバスの充放電量を削減できるよう前記信号レベル選択回路に制御信号を供給する制御信号発生回路と、よりなることを特徴とする。
【００１０】
また、本発明のバス信号伝送方法は、複数本の信号線のデータ伝送路の途中に夫々に設けられるデータフリップフロップ回路を有するバス形式の信号伝送回路におけるバス信号伝送方法であって、
信号の伝送サイクルに同期して前記データフリップフロップ回路に取り込む各信号線からのデータに対し制御信号により動的な論理反転制御を行なわせることを特徴とする。
【００１１】
また、本発明のバス信号伝送方法は、複数本の信号線のデータ伝送路の途中に夫々に設けられるデータフリップフロップ回路を有するバス形式の信号伝送回路におけるバス信号伝送方法であって、
前記データフリップフロップ回路の出力ノードにおける現在のｎビット幅のデータと、入力ノードにおける現在のｎビット幅のデータとを受け各信号線毎に出力ノードと入力ノードの対応するデータをビット毎に比較するステップと、
前記比較ステップによる比較の結果、前記データフリップフロップ回路から出力される転送時の信号線上の信号の信号レベルの変化が少なくなるように前記データフリップフロップ回路へ入力される信号の信号レベルを正転もしくは反転レベルの極性に切換える制御信号を発生するステップと、
前記発生された制御信号を受け、前記制御信号に対応して伝送されてきた信号の信号レベルを正転もしくは反転レベルの極性に切換えて前記データフリップフロップ回路へ該信号を入力する信号レベル選択ステップとより成ることを特徴とする。
【００１２】
また、本発明のバス信号伝送方法は、複数本の信号線のデータ伝送路の途中に夫々に設けられるｐチャネルトランジスタを有するプリチャージ方式のバス信号伝送回路におけるバス信号伝送方法において、
前記複数の信号線の各ｐチャネルトランジスタの入力ノードに転送されてきた各信号の信号レベルの総数が、１レベルが多い状態か、あるいは０レベルが多い状態かを検出するステップと、
前記信号レベル状態を検出した後、検出結果に応じて１レベルが多い場合は前記ｐチャネルトランジスタへ入力される信号の信号レベルを正転レベルの極性に、０レベルが多い場合は信号レベルを反転レベルの極性に切換える制御信号を発生するステップと、
前記発生された制御信号を受け、前記制御信号に対応して入力される信号の信号レベルを正転もしくは反転レベルの極性に切換えて前記ｐチャネルトランジスタへ入力する信号レベル選択ステップとより成ることを特徴とすることを特徴とする。
【発明の効果】
【００１３】
本発明のバス信号伝送装置及びその信号伝送方法によれば、複数本のバス形式の信号伝送回路であって、信号の伝送サイクルに同期して各信号の論理反転制御を動的に行うことで配線容量値が高い微細化された伝送路であっても消費電力の低減を可能とすると共に信号遅延を防ぎ、高速動作を可能とする。
【発明を実施するための最良の形態】
【００１４】
以下図面を参照して本発明の一実施の形態について説明する。
図１は各信号線Ｌ０，Ｌ１．・・Ｌｎの信号伝送路の途中にデータフリップフロップ（以下ＤＦＦと称する）を挿入し、ｎビット幅のデータを各ＤＦＦ  Ｄ１，Ｄ２，・・Ｄｎ、及び各ＤＦＦ  Ｇ１，Ｇ２，・・Ｇｎを介して転送する複数本の信号線よりなるバス形式の信号伝送回路を示す。ｎビットのデータはクロック信号に同期して転送される。
【００１５】
ＤＦＦ  Ｄ１及びＤＦＦ  Ｇ１が挿入された信号線Ｌ０上の入力ノードにはインバータＩ０とセレクタＳ０とからなる信号レベル選択回路ＩＳ０が夫々接続される。
同様にＤＦＦ  Ｄ２・・Ｄｎ及びＤＦＦ  Ｇ２・・Ｇｎの各信号線Ｌ１・・Ｌｎ上の各入力ノードにはインバータＩ１，セレクタＳ１・・インバータＩｎ，セレクタＳｎとからなる夫々の信号レベル選択回路ＩＳ１・・ＩＳｎが接続される。
各信号線Ｌ０，Ｌ１・・Ｌｎは寄生容量ｃ０、ｃ１・・ｃｎを有する。
【００１６】
制御信号発生回路Ｔは、信号線Ｌ０のＤＦＦ  Ｄ１の出力ノードにおける現在のｎビット幅のデータと、入力ノードにおける信号線上のｎビット幅の現在伝送されて来たデータとを受け信号線Ｌ０の出力ノードと入力ノードの対応するデータをビット毎に比較する。同様に、信号線Ｌ１・・ＬｎのＤＦＦ  Ｄ２・・Ｄｎの現在の出力ノードＢ１・・Ｂｎにおける信号と現在の入力ノードＡ１・・Ａｎにおける信号とを受け、各信号線Ｌ１・・Ｌｎ毎に出力ノードと入力ノードの対応するデータをビット毎に比較する。
【００１７】
制御信号発生回路Ｔは、信号レベル選択回路ＩＳ０・・ＩＳｎのセレクタＳ０・・Ｓｎに接続され、上述のデータの比較の結果から得られる制御信号Ｓは、ＤＦＦ  Ｄ１・・ＤＦＦ  Ｄｎの信号レベル選択回路ＩＳ０・・ＩＳｎの夫々のセレクタＳ０・・Ｓｎに供給される。
【００１８】
制御信号発生回路Ｔからの制御信号Ｓは、ＤＦＦ  Ｇ１・・Ｇｎの信号レベル選択回路ＩＳ０・・ＩＳｎのそれぞれのセレクタＳ０・・Ｓｎにも供給される。
制御信号Ｓは、各ＤＦＦの入力ノードにおける伝送されて来た信号の信号レベルを正転レベルのままか、あるいは信号レベルを反転させてＤＦＦに取り込むかを決める信号レベルの選択指示信号となる。制御信号Ｓを受けた信号レベル選択回路ＩＳ０・・ＩＳｎのそれぞれは、制御信号Ｓに応じて信号レベルを正転もしくは反転レベルの極性に切換えて入力信号をＤＦＦ  Ｄ１・・Ｄｎに取り込む。
その結果、ＤＦＦ  Ｄ１・・Ｄｎの出力ノードからの転送時の信号の信号変化を少なくすることができ、信号線Ｌ０・・Ｌｎにおける充放電で消費する電力を減らすことができる。
【００１９】
次に、図２を参照して制御信号発生回路Ｔの動作について説明する。
図１に示す複数の信号線Ｌ０，Ｌ１・・Ｌｎが具体的にｎ＝７の場合について説明する。
制御信号発生回路Ｔは、信号線Ｌ０に挿入されたＤＦＦ  Ｄ１の現在の出力ノードＢ０における信号と、現在の入力ノードＡ０における信号とを取り込み、信号線Ｌ０上の出力ノードと入力ノードの対応するデータをビット毎に比較する。同様に出力ノードＢ１・・Ｂｎの信号と、入力ノードＡ１・・Ａｎの信号とを夫々取り込み、信号線Ｌ１・・Ｌｎ上の対応するデータをビット毎にそれぞれ比較する。比較の結果、各信号線から同レベルの信号値となる信号線の本数が何本あるかをカウントする。
【００２０】
例えば、信号線上の信号の送信サイクルであって、図２に示すようにクロック波形に同期するサイクル１の期間において、例えば計８本の各信号線Ｌ０・・Ｌ７の出力ノードＢ０・・Ｂ７の信号レベルは１６進表示で０１（Ｈ）と表示され、入力ノードＡ０・・Ａｎの信号レベルは１６進表示で００（Ｈ）と表される。このとき、信号線Ｌ０の出力ノードＢ０と入力ノードＡ０における信号の夫々の信号レベルを対応するビット毎に比較する。順次、出力ノードＢ１と入力ノードＡ１、・・出力ノードＢ７と入力ノードＡ７の夫々の信号の信号レベルを対応するビット毎に比較する。
【００２１】
比較の結果、現在の出力ノードＢ０・・Ｂ７の信号レベルは０１（Ｈ）であり、入力ノードＡ０〜Ａ７は００（Ｈ）であるから出力ノードＢ０における信号レベル「１」と入力ノードＡ０の信号レベル「０」とは異なるが他の出力ノードＢ１・・Ｂ７の信号レベル「０」と入力ノードＡ１・・Ａ７の信号レベル「０」はすべて一致し、同レベルの信号線が７本、異レベルの信号線が１本とカウントされる。従って、制御信号発生回路Ｔから出力される制御信号Ｓは、同レベルが多い状態を表す“０”と決定される。
【００２２】
続くサイクル２の期間は、各信号線Ｌ０・・Ｌ７の出力ノードＢ０・・Ｂ７の信号レベルは１６進表示で００（Ｈ）と表示され、入力ノードＡ０・・Ａｎの信号レベルはＥＦ（Ｈ）と表示される。このとき、信号線Ｌ０の出力ノードＢ０と入力ノードＡ０における信号の夫々の信号レベルを対応するビット毎に比較する。順次、出力ノードＢ１と入力ノードＡ１、・・出力ノードＢ７と入力ノードＡ７の夫々の信号の信号レベルを対応するビット毎に比較する。
【００２３】
比較の結果、現在の出力ノードＢ０・・Ｂ７の信号レベルは００（Ｈ）であり、入力ノードＡ０・・Ａ７はＥＦ（Ｈ）であるから信号線Ｌ４の出力ノードＢ４における信号レベル「０」と入力ノードＡ４の信号レベル「０」とは一致しているが、それ以外の信号線の出力ノードＢ７，Ｂ６，Ｂ５及びＢ３，Ｂ２，Ｂ１，Ｂ０の信号レベル「０」とそれ以外の信号線の入力ノードＡ７，Ａ６，Ａ５及びＡ３，Ａ２，Ａ１，Ａ０の信号レベル「１」とは一致せず、同レベルの信号線が１本、異レベルの信号線が７本とカウントされる。従って、制御信号発生回路Ｔから出力される制御信号Ｓは、同レベルが少ない状態を表す“１”と決定される。
【００２４】
このように、制御信号発生回路Ｔは、あるＤＦＦの出力ノードにおけるデータと入力ノードにおけるデータとを対応するビット毎に比較し、同じ信号レベルの信号線の本数と、異なる信号レベルの信号線の本数とをカウントし、どちらの信号レベルの本数が多いかを数え、夫々の対応する制御信号“０”又は“１”を発生する。これら制御信号“０”又は“１”が各信号線Ｌ０・・Ｌ７の信号レベル選択回路ＩＳ０・・ＩＳｎの夫々のセレクタＳ０・・Ｓ７に供給され、転送されてきた信号に対し信号レベルの極性を正転もしくは反転させる切換指示を与える。
【００２５】
このことは、各信号線のＤＦＦの転送しようとする信号と既に転送された信号の夫々の信号レベルを各信号線毎に比較し、正転で送った方が各ＤＦＦの出力ノードにおける信号レベルの変化が少ない場合は転送信号を正転で転送し、レベルを反転して転送した方が信号レベルの変化が少ない場合は転送信号を反転状態で転送するように制御信号Ｓを発生することになる。即ち、転送すべき信号と既に転送されている信号の信号レベルを各ビット毎に比較し、信号レベル差の全ビット累計値が少なくなるようにＤＦＦの入力ノードにお
ける入力信号の信号レベルの切換えを行う。
【００２６】
このことによって、転送時の信号のレベル変化を抑え、配線容量値が高い微細化された伝送路でも信号線の充放電を小さく抑えることができ消費電力の低減が可能となる。
【００２７】
このことは、従来のバス形式の信号伝送回路における消費電力と比較すると特に顕著な効果と認識できる。従来の信号伝送回路においては、信号転送時の前サイクルの信号レベルの状態を何も考慮せず、各サイクルにおいて送るべき信号の信号レベルをそのままにして転送していたため、例えば信号レベル００とＦＦを交互に転送する場合、サイクル毎にすべての信号線が充放電を繰り返し、大きな消費電力を消費していた。特に半導体の微細化に伴うチップ内のバスが有する容量値は大きな値であり、信号転送時にこの大きな容量分の充放電を行うことは大きな消費電力を消費していたことになる。
【００２８】
上述した実施の形態は、一般的なバス形式の信号伝送回路について説明したがプリチャージ方式のバスにおいても同様に適用できる。
図３は複数本の信号線よりなるプリチャージ方式のバスの信号伝送回路を示す。
信号線Ｌ０の信号伝送路にはＮチャネルトランジスタＮｃｈＴｒ０が挿入され、入力側のＡ０ノードにはインバータとセレクタを含む信号レベル選択回路ＩＳ０が接続される。ＮｃｈＴｒ０の出力側のＢ０ノードにはインバータＩ０が接続され、更にインバータとセレクタを含む信号レベル選択回路ＩＳ０を介してデータフリップフロップ回路ＤＦＦ０に接続される。
【００２９】
同様に、各信号線Ｌ１・・ＬｎにもＮチャネルトランジスタＮｃｈＴｒ１・・
ＮｃｈＴｒｎが接続され、それぞれの入力ノードには信号レベル選択回路ＩＳ１・・ＩＳｎが接続され、出力ノードにはインバータＩ１・・Ｉｎが接続され、更に信号レベル選択回路ＩＳ１・・ＩＳｎを介してＤＦＦ１・・ＤＦＦｎに接続される。クロック信号ｃｋは、各ＮチャネルトランジスタＮｃｈＴｒ０・・ＰｃｈＴｒｎの各ゲート端子に対応するインバータｉｎ０・・ｉｎｎをそれぞれ介して入力され、同時にＤＦＦ０・・ＤＦＦｎのそれぞれのクロック入力端子ＣＫにも供給される。
各信号線Ｌ０，Ｌ１・・Ｌｎは寄生容量ｃ０、ｃ１・・ｃｎを有する。
【００３０】
上述したプリチャージ方式のバスの信号伝送回路において、供給されるクロック信号ｃｋがハイ（Ｈ）のとき、各信号線Ｌ０・・Ｌｎに接続されているＮｃｈＴｒ０・・ＮｃｈＴｒｎはオン（ＯＮ）となり、インバータＩ０・・Ｉｎを介して各信号線Ｌ０・・Ｌｎの出力ノードＢ０・・Ｂｎに伝送される信号の信号レベルは「０」になる。
【００３１】
一方、クロック信号ｃｋがロウ（Ｌ）のとき、各信号線Ｌ０・・Ｌｎの出力ノードＢ０・・Ｂｎに伝送される信号の信号レベルはＮｃｈＴｒ０・・ＮｃｈＴｒｎに入力される入力ノードＡ０・・Ａｎにおける入力信号の信号レベルの値によって変化する。このとき、例えば入力ノードＡ０・・Ａｎの信号レベルの値がすべて「０」であれば出力ノードＢ０・・Ｂｎに伝送される信号レベルの値に変化はなく、充放電量を消費することはない。
【００３２】
また、入力ノードＡ０・・Ａｎの信号レベルの値がすべて「１」であれば出力ノードＢ０・・Ｂｎの信号レベルの値はすべて「１」になり充放電量を消費することになる。
各信号線Ｌ０・・Ｌｎの入力ノードＡ０・・Ａｎの各信号のレベル値を制御信号発生回路Ｔで取り込み、全信号線の夫々の入力ノードのレベル値から、「０」のレベル値と「１」のレベル値の数を数える。その結果に対応して制御信号Ｓを発生し、信号レベル選択回路ＩＳ０・・ＩＳｎに供給する。制御信号Ｓの供給に基づき「０」のレベル値が多い場合は入力ノードＡ０・・Ａｎの各信号のレベル値を正転状態でＮｃｈＴｒ０・・ＮｃｈＴｒｎに入力し、「１」のレベル値が多い場合は入力ノードＡ０・・Ａｎの各信号のレベル値を逆転してＮｃｈＴｒ０・・ＮｃｈＴｒｎに入力する。
即ち、入力ノードＡ０・・Ａｎにおいて、転送しようとする信号状態において「０」のレベル値が多い場合は正転で転送するように制御し、「１」のレベル値が多い場合は反転レベルで転送するように制御する。このことによって、プリチャージされたバスの充放電量を削減できる。
【図面の簡単な説明】
【００３３】
【図１】本発明の一実施の形態を示す回路図を示す。
【図２】図１に示す回路の動作説明図を示す。
【図３】本発明の他の実施の形態を示す回路図を示す。
【符号の説明】
【００３４】
Ｌ０、Ｌ１・・Ｌｎ…信号線
ＩＳ０、ＩＳ１・・ＩＳｎ…信号レベル選択回路
Ｄ１、Ｄ２・・Ｄｎ…データフリップフロップ回路
Ｇ１、Ｇ２・・Ｇｎ…データフリップフロップ回路
ＤＦＦ０、ＤＦＦ１・・ＤＦＦｎ…データフリップフロップ回路
Ｔ…制御信号発生回路
Ｓ…制御信号
ＮｃｈＴｒ０・・ＮｃｈＴｒｎ…Ｎチャネルトランジスタ
【図１】
2005094234.tif 000003
【図２】
2005094234.tif 000004
【図３】
2005094234.tif 000005